(57)【要約】【課題】ハンガーに衣類を保持させる使用するユーザーに対して、衣類に応じた情報を表示し、ユーザーに対して視覚による楽しみを与えるフック具を提供する。【解決手段】衣類を保持するハンガー機能を備えたフック具１０は、衣類を釣支するフック部２５と、情報を表示する液晶モニター３０と、釣支した衣類に対する光の透過量を検出する検出手段５０と、検出した透過量に応じて液晶モニター３０の表示を制御する表示制御手段６０と、を備える。【選択図】図３
2010200997.tif 000002
【特許請求の範囲】
【請求項１】
衣類を釣支するフック部と、
情報を表示する表示手段と、
釣支した前記衣類の光の透過量を検出する検出手段と、
検出した前記透過量に応じて前記表示手段の表示を制御する表示制御手段と、を備えることを特徴とする衣類保持具。
【発明の詳細な説明】
【技術分野】
【０００１】
本発明は、衣類等を保持するための衣類保持具に関する。
【背景技術】
【０００２】
下記特許文献１に示すように、自動車の車内に設置されるドリンクホルダーにおいて、保持する飲料容器の液体の残量を検出し、検出した残量に応じて発光手段を制御するドリンクホルダーが提案されている。
【先行技術文献】
【特許文献】
【０００３】
【特許文献１】特開２００５−３１３７６８号公報
【発明の概要】
【発明が解決しようとする課題】
【０００４】
このようなドリンクホルダーは、使用するユーザーに対して、ドリンクホルダー本来の機能による利便性を供与することに加え、視覚に訴える演出に拠って楽しみを与えることができる。このように、本来の機能を使用することで視覚による演出が実行され、ユーザーに対して楽しみを与える生活用具の提供が望まれている。
【課題を解決するための手段】
【０００５】
本発明は、上述の課題の少なくとも一部を解決するためになされたものであり、以下の形態または適用例として実現することが可能である。
【０００６】
［適用例１］
本適用例にかかる衣類保持具は、衣類を釣支するフック部と、情報を表示する表示手段と、釣支した前記衣類の光の透過量を検出する検出手段と、検出した前記透過量に応じて前記表示手段の表示を制御する制御手段と、を備えることを特徴とする。
【０００７】
このような構成によれば、衣類保持具のフック部に釣支した衣類に対する光の透過量が検出され、検出された光の透過量に応じて、表示手段に情報が表示される。従って、ユーザーは衣類を衣類保持具に保持することにより、衣類に応じて情報が表示されるため、衣類保持具を使用するユーザーに対して、視覚による楽しみを与えることができる。
【図面の簡単な説明】
【０００８】
【図１】本発明の実施形態に係るフック具の外観図。
【図２】本発明の実施形態に係るフック具のハードウェア構成を示す図。
【図３】本発明の実施形態に係るフック具の機能構成を示すブロック図。
【図４】本発明の実施形態に係るフック具の処理の流れを説明するフローチャート。
【発明を実施するための形態】
【０００９】
以下、衣類保持具の一形態として、ハンガー機能を有するフック具について図面を参照して説明する。
【００１０】
（実施形態）
図１は、フック具１０の外観図である。このフック具１０は、箱状の本体部２０の一方の面（Ａ）側にフック部２５が形成されている。このフック部２５は、側面視Ｌ字状の様態であり、衣類等を釣止可能に形成されている。また、フック部２５が形成された一方の面（Ａ）と背向する本体部２０の他方の面（Ｂ）は、壁面等に固定される様態を想定するが、これに限定されず、スタンド型や天吊り型の様態であっても良い。
フック部２５の外側の面（Ｃ）には、画像情報を表示する液晶モニター３０が埋設されている。また、フック部２５の内側の面（Ｄ）には、光センサー４０が一方の面（Ａ）に対向して埋設され、一方の面（Ａ）には、光センサー４０に向かって発光するＬＥＤ３５が埋設されている。このフック具１０は、ユーザーが衣服や帽子等の衣類をフック部２５に釣止したことをＬＥＤ（Ｌｉｇｈｔ  Ｅｍｉｔｔｉｎｇ  Ｄｉｏｄｅ）３５と光センサー４０で検出し、検出した衣類に応じて種々の情報を液晶モニター３０に表示する機能を備える。
【００１１】
図２は、フック具１０のハードウェア構成を示す図である。このフック具１０は、制御プログラムに基づいて演算および装置全体を制御するＣＰＵ（Ｃｅｎｔｒａｌ  Ｐｒｏｃｅｓｓｉｎｇ  Ｕｎｉｔ）１３０と、所定領域にあらかじめＣＰＵ１３０の制御プログラム等を格納しているＲＯＭ（Ｒｅａｄ  Ｏｎｌｙ  Ｍｅｍｏｒｙ）１４０と、ＲＯＭ１４０等から読み出したデータやＣＰＵ１３０の演算過程で必要な演算結果を格納するためのＲＡＭ（Ｒａｎｄｏｍ  Ａｃｃｅｓｓ  Ｍｅｍｏｒｙ）１４５と、情報を表示させるためのプログラムや各種のデータ等を格納しているＳＳＤ（Ｓｏｌｉｄ  Ｓｔａｔｅ  Ｄｒｉｖｅ）１５０と、外部デバイスに対してデータの入出力を媒介するＩ／Ｆ１５５とで構成されている。これらは、データを転送するための信号線であるバス１６０により、相互にデータが授受可能であるように接続されている。
Ｉ／Ｆ１５５には、所定の波長の光を発光するＬＥＤ３５と、ＬＥＤ３５が発光する光を受光し、受光量に応じて電気信号を出力する光センサー４０と、表示信号に基づいて画像等を表示する液晶モニター３０と、インターネット１２５等に接続し種々の情報を取得可能な通信装置１２０とが接続されている。
【００１２】
図３は、フック具１０の機能構成を示すブロック図である。このフック具１０は、検出手段５０、表示制御手段６０、外部情報取得手段９０、背景色記憶手段９５および表示手段１００を備える。表示制御手段６０は、衣類に応じて情報の表示を制御する機能を有し、衣類判定手段６５、表示情報決定手段７０、表示情報生成手段７５および表示信号生成手段８０を備える。これらの機能手段は、上述したハードウェアとソフトウェアとが協働することにより、それぞれの機能を実現している。
検出手段５０は、フック部２５に釣止されたことを検出する。本実施形態では、ＬＥＤ３５と光センサー４０で検出するが、これに限定されない。また、光の波長は、可視光に限定されず、赤外光は紫外光であっても良い。検出手段５０は所定のタイミングで検出を行い、検出の結果得られた情報は、衣類判定手段６５に送られる。
【００１３】
衣類判定手段６５は、検出手段５０から送られる情報に基づき、フック部２５に衣類が釣止されたか、否かを判定する。具体的には、光センサー４０が出力する電気信号の信号レベルに基づき、何らかの衣類が釣止されたか、否かを判定する。この判定結果は、表示情報決定手段７０に送られる。
表示情報決定手段７０は、衣類判定手段６５から送られる判定結果に基づき、表示手段１００に表示する表示情報を決定する。本実施形態では、フック部２５に衣類が釣止されていない状態では、天気予報やニュース等のように、外出に際して有益であって外部から得られる情報を表示手段１００に表示する。また、フック部２５に衣類が釣止されている状態では、衣類に応じて表示手段１００に所定の背景色を表示する。この場合、衣類の光透過量が大きければ、薄い衣類と判定し、夏をイメージする涼色系の色を表示し、衣類の光透過量が小さければ、厚い衣類と判定し、冬をイメージする暖色系の色を表示すべく決定する。また、使用する時刻に連動しても良い。ここで決定された情報は、表示情報生成手段７５に送られる。
【００１４】
表示情報生成手段７５は、表示情報決定手段７０から送られる情報に応じて、表示する情報を生成する。即ち、表示情報決定手段７０が外部からの情報表示を決定した場合、外部情報取得手段９０がインターネット等を介して取得した所定の情報から表示情報を生成する。また、表示情報決定手段７０が衣類に応じた色表示を決定した場合、種々の背景色を記憶する背景色記憶手段９５から衣類に応じた色を取得し、この色を示す表示情報を生成する。表示情報生成手段７５が生成した表示情報は、表示信号生成手段８０に送られる。
表示信号生成手段８０は、表示情報生成手段７５から送られる表示情報から、表示手段１００が表示可能な表示信号を生成し、生成した表示信号を表示手段１００に送り表示する。尚、本実施形態では、表示手段１００は液晶モニター３０を採用しているが、これに限定されない。
【００１５】
図４は、フック具１０の処理の流れを説明するフローチャートである。この処理が実行されると、最初に、ＣＰＵ１３０は、ＬＥＤ３５を点灯する（ステップＳ２００）。次に、ＣＰＵ１３０は、光センサー４０からの出力信号を取得する（ステップＳ２０５）。
次に、ＣＰＵ１３０は、出力信号からフック部２５に衣類が掛けられているか、否かを判定する（ステップＳ２１０）。ここで、ＣＰＵ１３０はフック部２５に衣類が掛けられていると判定した場合（ステップＳ２１０でＹｅｓ）、ＣＰＵ１３０は、衣類の光透過量に応じた出力信号から表示色を決定し（ステップＳ２１５）、決定した表示色を液晶モニター３０に表示した後（ステップＳ２２０）、ステップＳ２４０に進む。
【００１６】
他方で、ＣＰＵ１３０はフック部２５に衣類が掛けられていないと判定した場合（ステップＳ２１０でＮｏ）、ＣＰＵ１３０は、天気予報や時刻表等の外部情報を取得し（ステップＳ２３０）、取得した情報を液晶モニター３０に表示した後（ステップＳ２３５）、ステップＳ２４０に進む。
ステップＳ２４０では、ＣＰＵ１３０は、ユーザー等から終了指示されたか、否かを判定し（ステップＳ２４０）、終了指示されていないと判定した場合（ステップＳ２４０でＮｏ）、光センサー４０からの出力信号を取得する工程（ステップＳ２０５）に戻る。他方で、終了指示されていると判定した場合（ステップＳ２４０でＹｅｓ）、一連の処理を終了する。
【００１７】
以上述べた処理により、フック具１０は、釣止した衣類の有無や種類に応じて、外出するに際して有益な情報や、衣類に合致した季節感を与える背景色を表示するため、ユーザーに対して親和性に富み、四季のある生活に潤いと楽しみを与えることができる。
本発明の実施形態について、図面を参照して説明したが、具体的な構成は、この実施形態に限られるものではなく、本発明の要旨を逸脱しない範囲の設計変更等も含まれる。例えば、液晶モニター３０は、本体２０と別置されても良い。また、衣類が釣止された場合、ユーザーが衣類を忘れないようなメッセージや警告を表示しても良い。また、検出手段２０として、人物の接近を検出するセンサーを更に備え、周囲が暗い状態で人物が近づく場合は、衣類の所在を示すべく点滅や輝度を明るくしても良い。更に、衣類が釣止されている場合に、天気予報やニュースを表示し、衣類が釣止されている場合に、季節に合わせた色情報を表示しても良い。
【符号の説明】
【００１８】
１０…フック具、２０…本体部、２５…フック部、３０…液晶モニター、３５…ＬＥＤ、４０…光センサー、５０…検出手段、６０…表示制御手段、６５…衣類判定手段、７０…表示情報決定手段、７５…表示情報生成手段、８０…表示信号生成手段、９０…外部情報取得手段、９５…背景色記憶手段、１００…表示手段、１２０…通信装置、１２５…インターネット、１３０…ＣＰＵ、１４０…ＲＯＭ、１４５…ＲＡＭ、１５０…ＳＳＤ、１５５…Ｉ／Ｆ、１６０…バス。
【図１】
2010200997.tif 000003
【図２】
2010200997.tif 000004
【図３】
2010200997.tif 000005
【図４】
2010200997.tif 000006